(57)【要約】【課題】本発明は導光板及びそれを用いたバックライトアセンブリを提供する。【解決手段】本発明の導光板は、本体、第１突出部及び第２突出部を含む。本体は光が入射される入射面、及び光が出射する出射面を含む。第１突出部は、本体の出射面に形成され長さ方向に垂直な断面が不等辺梯形形状を有する。第２突出部は本体の出射面に形成され第１突出部と互いに対称される形状を有する。【選択図】図１
2008235271.tif 000002
【特許請求の範囲】
【請求項１】
光が入射される入射面、前記光が出射される出射面を含む本体と、
前記出射面に形成され長さ方向に垂直な断面が不等辺梯形形状を有する第１突出部及び前記第１突出部と互いに対称される形状を有する第２突出部と、
を含むことを特徴とする導光板。
【請求項２】
前記第１突出部は、前記出射面に傾斜を成す第１面、前記第１面から延長された第２面、前記第２面から前記出射面に伸びている第３面を含むことを特徴とする請求項１記載の導光板。
【請求項３】
前記出射面と前記第１面とが成す角は、４５°乃至６０°であることを特徴とする請求項２記載の導光板。
【請求項４】
前記第２面は、前記出射面と実質的に平行であることを特徴とする請求項２記載の導光板。
【請求項５】
前記第３面は、前記出射面に実質的に垂直であることを特徴とする請求項４記載の導光板。
【請求項６】
前記第３面は、傾斜面であることを特徴とする請求項４記載の導光板。
【請求項７】
前記第３面は、前記第１面に向かう方向に傾くことを特徴とする請求項６記載の導光板。
【請求項８】
前記第１突出部は、前記出射面を基準にして１０乃至６０μｍの高さを有することを特徴とする請求項１記載の導光板。
【請求項９】
前記第１及び第２突出部は、互いに平行に配列されて形成されることを特徴とする請求項１記載の導光板。
【請求項１０】
前記第１突出部は、互いに離隔距離を置いて形成されることを特徴とする請求項１記載の導光板。
【請求項１１】
前記離隔距離は、１７０乃至２３０μｍであることを特徴とする請求項１０記載の導光板。
【請求項１２】
前記本体は、前記出射面に対向する反射面をさらに含み、前記反射面に形成される第３突出部をさらに含むことを特徴とする請求項１記載の導光板。
【請求項１３】
前記第３突出部は、前記入射面に平行な方向に延長される三角柱形状であることを特徴とする請求項１２記載の導光板。
【請求項１４】
前記第３突出部は、互いに離隔距離を間に置いて形成されることを特徴とする請求項１２記載の導光板。
【請求項１５】
前記離隔距離は、前記入射面から遠くなるほど狭くなることを特徴とする請求項１４記載の導光板。
【請求項１６】
前記第３突出部は、前記入射面に平行する方向に形成される複数の三角柱を含むことを特徴とする請求項１２記載の導光板。
【請求項１７】
前記三角柱形状は、前記入射面から遠くなるほど長さが長くなることを特徴とする請求項１３記載の導光板。
【請求項１８】
前記第１突出部は、中央線を基準にして左側に形成され、前記第２突出部は中央線を基準にして右側に形成されることを特徴とする請求項１記載の導光板。
【請求項１９】
光が入射される入射面、前記光が出光される出射面、及び前記出射面に対向する反射面を含む本体と、
前記出射面に形成され長さ方向に垂直する断面が実質的に不等辺梯形形状を有する突出パターンと、
を含むことを特徴とする導光板。
【請求項２０】
光を発生する少なくとも一つのランプと、
前記ランプから発生される光が入射される入射面、前記光が出射される出射面と前記出射面に形成され断面が不等辺梯形形状を有する第１突出部、及び前記第１突出部と互いに対称される形状を有する第２突出部を含む導光板と、
前記導光板の下に配置され前記導光板から漏洩される光を反射させる反射板と、
を含むことを特徴とするバックライトユニット。
【発明の詳細な説明】
【技術分野】
【０００１】
本発明は導光板及びそれを用いたバックライトアセンブリに係る。
【背景技術】
【０００２】
最近、情報処理装置は、多様な形態、多様な機能、情報処理速度がさらに早まる方向に急速に発展しつつある。情報処理装置は電気的信号形態で処理された情報を使用者に表示するための表示装置を必要とする。
表示装置のうち、液晶表示装置は液晶を用いて画像を表示する平板表示装置の一つとして、他の表示装置に比べて薄くて軽く、低消費電力及び低駆動電圧で動作するという長所があって産業全般に渡って幅広く使用される。
【０００３】
このような液晶表示装置は画像を表示する液晶表示パネルを含む表示ユニットと液晶表示パネルに光を供給するバックライトアセンブリで構成される。
一般的に、バックライトアセンブリは光を発生するランプ及びランプから発生される光をガイドして液晶表示パネルに出射する導光板を含む。ランプから発生した光は、スネルの法則に従って導光板の内部で全反射され導光板の下部に配置される反射板によって反射され液晶表示パネル方向に所定の出射角の分布を有して出射される。
【０００４】
従来のバックライトアセンブリは導光板から出射される光の均一性及び正面輝度の向上のために、光の拡散のための拡散シートと光の屈折及び集光のためのプリズムシートを含む。
しかし、従来のバックライトアセンブリに使用される拡散シートとプリズムシートは製造原価を上昇させ、組立工程を複雑にする問題点がある。
【発明の開示】
【発明が解決しようとする課題】
【０００５】
従って、本発明は従来の問題点を解決するために案出されたもので、不等辺梯形形状のプリズムパターンを用いて光の均一性を向上させる導光板及びそれを用いるバックライトアセンブリを提供することにその目的がある。
【課題を解決するための手段】
【０００６】
前記目的を達成するための本発明の導光板は、光が入射される入射面、前記光が出射される出射面を含む本体と、前記出射面に形成され長さ方向に垂直な断面が不等辺梯形形状を有する第１突出部及び前記第１突出部と互いに対称される形状を有する第２突出部と、を含む。
ここで、前記第１突出部は、前記出射面に傾斜を成す第１面、前記第１面から延長された第２面、前記第２面から前記出射面に伸びている第３面を含む。
【０００７】
前記出射面と前記第１面とが成す角は、４５°乃至６０°であることが望ましい。
また、前記第２面は、前記出射面と実質的に平行であることが望ましい。
また、前記第３面は、前記出射面に実質的に垂直であることが望ましい。
また、前記第３面は、傾斜面であることが望ましい。
また、前記第３面は、前記第１面に向かう方向に傾くことが望ましい。
【０００８】
また、前記第１突出部は、前記出射面を基準にして１０乃至６０μｍの高さを有することが望ましい。
また、前記第１及び第２突出部は、互いに平行に配列されて形成されることが好ましい。
また、前記第１突出部は、互いに離隔距離を置いて形成されることが好ましい。
【０００９】
また、前記離隔距離は、１７０乃至２３０μｍであることが好ましい。
また、前記本体は、前記出射面に対向する反射面をさらに含み、前記反射面に形成される第３突出部をさらに含む。
また、前記第３突出部は、前記入射面に平行な方向に延長される三角柱形状であることが望ましい。
【００１０】
また、前記第３突出部は、互いに離隔距離を間に置いて形成されることが望ましい。
前記離隔距離は、前記入射面から遠くなるほど狭くなることが望ましい。
また、前記第３突出部は、前記入射面に平行する方向に形成される複数の三角柱形状を含む。
また、前記三角柱形状は、前記入射面から遠くなるほど長さが長くなることが望ましい。
【００１１】
また、前記第１突出部は、中央線を基準にして左側に形成され、前記第２突出部は中央線を基準にして右側に形成されることが望ましい。
本発明の導光板は、光が入射される入射面、前記光が出光される出射面、及び前記出射面に対向する反射面を含む本体と、前記出射面に形成され長さ方向に垂直する断面が実質的に不等辺梯形形状を有する突出パターンと、を含む。
【００１２】
また、本発明のバックライトアセンブリは、光を発生する少なくとも一つのランプと、前記ランプから発生される光が入射される入射面、前記光が出射される出射面と前記出射面に形成され断面が不等辺梯形形状を有する第１突出部、及び前記第１突出部と互いに対称される形状を有する第２突出部を含む導光板と、前記導光板の下に配置され前記導光板から漏洩される光を反射させる反射板と、を含む。
【発明を実施するための最良の形態】
【００１３】
以下、図面を参照して本発明の望ましい一実施例を図面を参照してより詳細に説明する。  
図１は本発明の一実施例による導光板を示す斜視図であり、図２は本発明の一実施例による導光板の背面を示す斜視図である。図１及び図２に示すように、本発明の一実施例による導光板１００は本体１１０、第１プリズムパターン１２２、第２プリズムパターン１２４及び第３プリズムパターン１３０を含む。
【００１４】
前記本体１１０はランプ（図示せず）から光が入射される入射面、入射された光が出射される出射面１１２、出射面１１２に対向する反射面１１４を含む。入射面は第１乃至第４側面１１５、１１６、１１７、１１８のうち光を発生するランプが配置される側面である。ランプは第１側面１１５、及び第１側面１１５と向き合う第３側面１１７に配置されることが好ましい。
【００１５】
前記第１及び第２プリズムパターン１２２、１２４は入射面を通じて入射される光の出射分布を均一にするために出射面１１２に形成される。第１及び第２プリズムパターン１２２、１２４は、入射面の長さ方向、つまり第２方向に沿う中心線Ｍ−Ｍを基準にして互いに対称な形状を有する。
第１プリズムパターン１２２は複数の第１突出部１２６ａを含み、第２プリズムパターン１２４は複数の第２突出部１２６ｂを含む。複数の第１及び第２突出部１２６ａ、１２６ｂは互いに平行に配列されて形成される。第１突出部及び第２突出部１２６ａ、１２６ｂは、入射面に垂直な第２方向に延在する不等辺梯形柱形状を有し、入射面の長さ方向の中心線Ｍ−Ｍを基準にして互いに対称な形状を有する。ここで、不等辺梯形は、１組の互いに平行な辺と、第１辺と、前記第１辺に対向する第２辺と、を有し、第１辺と第２辺との長さが互いに異なる梯形である。また、１組の互いに平行な辺は、出射面１１２に沿うように形成されている。前記第３プリズムパターン１３０は入射面を通じて入射される光の輝度を向上させるために反射面１１４に形成される。第３プリズムパターン１３０は複数の第３突出部１３４を含む。第３突出部１３４は入射面に水平な第１方向に延長される三角柱形状を有する。
【００１６】
次に、図１の導光板の断面図を通じて出射面に形成された第１及び第２プリズムパターン及び反射面に形成された第３プリズムパターンをさらに詳細に説明する。
図３は図１のＡ−Ａ‘線に沿って切断した導光板の断面図であり、図１及び図２プリズムパターンの第１及び第２突出部を説明するための図面である。図３に示すように、複数の第１突出部１２６ａを含む第１プリズムパターン１２２及び複数の第２突出部１２６ｂを含む第２プリズムパターン１２４は導光板１００の出射面１１２に形成される。
【００１７】
第１及び第２突出部１２６ａ、１２６ｂは出射面１１２に対して傾斜を成す傾斜面１２７、出射面１１２に垂直な垂直面１２９、傾斜面１２７と垂直面１２９とを連結し出射面１１２に水平な水平面１２８を含む。即ち、第１及び第２突出部１２６ａ、１２６ｂの第１方向の断面は梯形形状で、出射面１１２に沿いかつ接して形成される梯形底辺、傾斜面１２７側の梯形の傾斜辺、水平面１２８側の梯形の水平辺及び垂直面１２９側の垂直辺を含む。なお、図３に示すように、中心線Ｍ−Ｍに対して、第１突出部１２６ａの垂直面１２９と、第２突出部１２６ｂの垂直面１２９と、が向かい合うように形成される。ここで、傾斜辺と垂直辺は図１及び図２で説明した第１辺と第２辺に対応する。即ち、第１及び第２突出部１２６ａ、１２６ｂは不等辺梯形柱形状を有する。
【００１８】
第１及び第２突出部１２６ａ、１２６ｂの傾斜面１２７は、図３の左右側、つまり第１方向側又は第１方向と反対方向側など、出射面１１２方向以外の導光板の外側に向かって出射される光を、垂直方向（出射面１１２）に向かって出射されるようにする。第１及び第２突出部１２６ａ、１２６ｂの垂直面１２９は、左右側に出射される光を、入射面の長さ方向の中心方向、つまり中心線Ｍ−Ｍ方向に出射するようにする。第１及び第２突出部１２６ａ、１２６ｂの水平面１２８は出射される光を拡散させバックライトアセンブリ組立の際光学シート（図示せず）が安着できる面を提供する。
【００１９】
本発明の一実施例による導光板１００に形成された第１及び第２突出部１２６ａ、１２６ｂは、中心線Ｍ−Ｍを中心として上記のような互いに対称な形状を有するので、左右側など出射面１１２以外の方向に出射される光を中心方向に出射されるように光の出射分布を調節して導光板１００が使用される表示装置の左右視野角を改善させることができる。
左右視野角改善のための最適の第１及び第２突出部１２６ａ、１２６ｂの形状は実験値による下記の表１を通じて決定されることができる。ここで、調節調節可能な変数は出射面１１２と傾斜面１２７とが成す角度θ、垂直面１２９の高さＨ、第１及び第２突出部１２６ａ、１２６ｂの幅Ｗ、第１及び第２突出部１２６ａ、１２６ｂが形成される周期Ｐを含む。垂直面１２９の高さＨは出射面１１２を基準とする。第１及び第２突出部１２６ａ、１２６ｂが形成される周期Ｐは第１及び第２突出部１２６ａ、１２６ｂの幅Ｗと第１及び第２突出部１２６ａ、１２６ｂそれぞれ間の離隔距離Ｄとの合計である。
<表１>
2008235271.tif 000003
表１中の相対輝度は、第１及び第２プリズムパターンのない場合の輝度に対する相対輝度である。また、表１でＴＣＯ（The  Swedish  Confederation  of  Professional  Emlpoyees）指数はモニター視野角に関連された規定で普通１．７未満の数値を満足しなければならない。１．７未満の数値を満足する場合を中心にして調節できる第１及び第２突出部１２６ａ、１２６ｂの形状の変数の範囲を検討すると、出射面１１２と傾斜面１２７とが成す角θは４５°〜６０°であることが望ましい。より望ましくは、出射面１１２と傾斜面１２７とが成す角θは５０°である。
【００２０】
また、ＴＣＯ指数を考慮すると、垂直面１２９は出射面１１２を基準にして１０乃至６０μｍの高さＨを有することが望ましい。より望ましくは、垂直面１２９は出射面１１２を基準にして４０μｍの高さを有する。また、第１及び第２突出部１２６ａ、１２６ｂは１７０乃至２３０μｍの周期Ｐで形成されることが望ましい。より望ましくは、第１及び第２突出部１２６ａ、１２６ｂは２００μｍの周期で形成される。
【００２１】
ＴＣＯ指数及び相対輝度をともに考慮した場合、例えば、表１に示すように、出射面１１２と傾斜面１２７とが成す角度θが５０°であり、垂直面１２９の高さＨが１０μｍであり、第１及び第２突出部１２６の幅Ｗが１００μｍであり、第１及び第２突出部１２６ａ、１２６ｂが形成される周期Ｐが２００μｍである時、ＴＣＯ指数は１．５８で輝度が１．０３である。従って、本発明の一実施例による導光板１００は第１及び第２プリズムパターン１２２、１２４のない従来の導光板よりＴＣＯ指数及び相対輝度の部分において改善されたことがわかる。
【００２２】
図４は図３に示された第２プリズムパターンによって光の出射分布が調節できることを示すグラフで、第２プリズムパターンが形成された領域で光の出射角に対する輝度（ｃｄ／ｍ２）の変化を示す。図４において、曲線Ｇは第２プリズムパターンが形成されていない従来の導光板に対する輝度の変化曲線であり、曲線Ｆは第２プリズムパターンが形成された導光板に対する輝度の変化曲線である。
【００２３】
図４を参照すると、本発明の一実施例による第２プリズムパターン１２４の複数の第２突出部１２６ｂによって導光板１００の光の出射分布が調節できることがわかる。即ち、曲線Ｆは曲線Ｇに比べて光の出射分布が左側に移動された形態である。よって視野角の偏りが改善され、中央部分に輝度分布を集中させるとともに輝度を均一化することができている。
【００２４】
一方、第２プリズムパターン１２４と類似に第１プリズムパターン１２２によっても光の出射分布が調節される。第１プリズムパターン１２２は第２プリズムパターン１２４に対称される形状を有するので光の出射分布は図４に示されたのとは反対に右側に移動される。
従って、本発明の一実施例による導光板１００は第１プリズムパターン１２２の第１突出部１２６ａと第２プリズムパターン１２４の第２突出部１２６ｂによって中央領域に光の分布を集中させることができるようになる。
【００２５】
図５乃至図７は他の導光板の一例であり、図１のＡ−Ａ‘線に沿って切断した導光板の断面図である。まず、図５を参照すると、本発明の一実施例による他の形態の導光板１００は互いに対称な形状の第１及び第２突出部１２６ａ、１２６ｂを複数個含む。第１及び第２突出部１２６ａ、１２６ｂは、出射面１１２に対して第１傾斜角θ１を成す第１傾斜面１２７、出射面１１２に対して第２傾斜角θ２を成す第２傾斜面１２９’、第１傾斜面１２７と第２傾斜面１２９’を連結し出射面１１２に水平な水平面１２８を含む。
【００２６】
即ち、本発明の一実施例による他の形態の導光板１００の第１及び第２突出部１２６ａ、１２６ｂは、出射面１１２に傾斜を成す第１及び第２傾斜面１２７、１２９’を含む。第１及び第２傾斜面１２７、１２９’の断面は図１及び図２で説明した第１辺と第２辺にそれぞれ対応する。
第１傾斜面１２７が出射面１１２と成す第１傾斜角θ１は、第２傾斜面１２９’が出射面１１２と成す第２傾斜角θ２より小さいことが望ましい。ここで、第２傾斜面１２９’は図３で説明した垂直面１２９に対応する。なお、図５に示すように、中心線Ｍ−Ｍに対して、第１突出部１２６ａの第２傾斜面１２９’と、第２突出部１２６ｂの第２傾斜面１２９’と、が向かい合うように形成される。第２傾斜面１２９’は光を反射させ中央に集中させる機能を遂行する。第２傾斜角θ２は導光板１００の製造工程において一定の工程マージンを提供する。
【００２７】
一方、図５では第２傾斜面１２９’が第１傾斜面１２７に向かう方向に傾く場合を例示して説明したが第２傾斜面１２９’の傾斜方向はこれに限定されるのではない。例えば、第２傾斜面１２９’は第１傾斜面１２７に向かう反対方向に傾いた第２傾斜角θ２’を有することができる。この際、第２傾斜角Ｑ２‘は第１傾斜角Ｑ１より大きいことが望ましい。図６はこれを例示する。
【００２８】
図７を参照すると、本発明の一実施例によるさらなる導光板１００は互いに対称な形状の第１及び第２突出部１２６ａ、１２６ｂを複数個含む。第１及び第２突出部１２６ａ、１２６ｂは出射面１１２に第１傾斜角θ１を成す第１傾斜面１２７、出射面１１２に垂直な垂直面１２９、第１傾斜面１２７と垂直面１２９とを連結し出射面１１２に第２傾斜角θ２を成す第２傾斜面１２８’を含む。第１傾斜面１２７と垂直面１２９の断面は図１及び図２で説明した第１辺と第２辺にそれぞれ対応する。
【００２９】
即ち、本発明の一実施例によるさらなるさらなる他の形態の導光板１００の第１及び第２突出部１２６ａ、１２６ｂは、第１傾斜面１２７と垂直面１２９とを連結する第２傾斜面１２８’を含む。ここで、第２傾斜面１２８’は図３で説明した水平面１２８に対応する。第２傾斜面１２８’が出射面１１２と成す第２傾斜角θ２は導光板の組立工程において一定の工程マージンを許容する。
【００３０】
図８は図１のＢ−Ｂ’線に沿って切断した導光板の断面図で、第３プリズムパターンの第３突出部を説明するための図面である。図６に示すように、第３突出部１３４を含む第３プリズムパターン１３０は導光板１００の反射面１１４に形成される。
第３突出部１３４は反射面１１４と第１角Ｑ１を成す第１傾斜面１３５、第１傾斜面１３５と連結されプリズムの山を形成し反射面１１４と第２角Ｑ２を成す第２傾斜面１３６を含む。ここで、第１角Ｑ１と第２角Ｑ２は同一であることが望ましい。
【００３１】
即ち、第３突出部１３４の断面は二等辺三角形形状で第１傾斜面１３５側の第１傾斜辺、第２傾斜面１３６側の第２傾斜辺及び反射面１１４側の三角形の底辺を含む。
第３突出部１３４の第１及び第２傾斜面１３５、１３６は、反射面１１４に漏洩した光を反射または屈折させ出射面１１２に出射されるようにする。即ち、本発明の一実施例による導光板１００の第３突出部１３４は、光を反射または屈折させ、導光板１００が使用される表示装置の輝度を向上させることのできる構造を有する。
【００３２】
輝度向上のための最適の第３突出部１３４の形状は実験値によって決定されることができる。ここで、調節できる変数は反射面１１４と第１傾斜面１３５とが成す第１角θ１、反射面１１４と第２傾斜面１３６とが成す第２角θ２、及び第３突出部１３４の幅Ｗを含む。
図９は図８に示された第１角（または第２角）の角度の変化に対する導光板から出射される光量の変化を示すグラフである。ここで、光量は、第１角の角度が０度に対する相対光量を示す。図９を参照すると、導光板１００は第１角Ｑ１（または第２角Ｑ２）が２０°〜５０°の範囲で比較的均一な光の量を出射する。従って、第３突出部１３４の第１角Ｑ１と第２角Ｑ２は２０°〜５０°の範囲内で選択されることが望ましい。より望ましくは、第３導出部１３４の第１角Ｑ１と第２角Ｑ２は、最も光量が大きい、２５°である。
【００３３】
一方、第３突出部１３４の幅Ｗは、突出部のパターンが視認されてしまうパターン視認性を考慮して１０乃至３００μｍの範囲内で選択されることが望ましい。
図１０は本発明の他の実施例による導光板の背面を示す斜視図であり、図１１は図１０のＣ−Ｃ‘線による導光板の断面図である。図１０及び図１１に示すように、導光板１００は反射面１１４に形成された第３プリズムパターン１３０を含む。第３プリズムパターン１３０は入射面に水平な第１方向に延長される三角柱形状の第３突出部１３４を複数個含む。
【００３４】
複数の第３突出部１３４は互いに離隔距離を置いて形成される。第３突出部１３４の離隔距離は入射面から遠くなるほど狭くなることが望ましい。例えば、導光板１００の第１及び第３側面１１５、１１７にランプ（図示せず）を配置する場合、入射面に隣接した第３突出部１３４間の離隔距離Ｄ１は、第１及び第３側面１１５、１１７の中央部分に位置した第３突出部１３４間の離隔距離Ｄ２より大きい。
【００３５】
反射面１１４に形成された第３突出部１３４は、光を垂直方向に出射させるので第３突出部１３４が連続的に形成されると中央領域が暗く見える現象が発生する。これは入射面に隣接した領域に形成された第３突出部１３４によって大部分の光が出射面側に出射され、入射面から相対的に離れている中央領域に形成された第３突出部１３４に到達する光の量が減少するからである。
【００３６】
本発明の他の実施例による導光板１００の第３突出部１３４は、入射面に隣接した領域よりも中央領域において、密度が高くなるように形成されるため、中央領域が暗く見える現象を解消することができる。第３突出部１３４が形成される周期は５０乃至１０００μｍ範囲内で選択されることが望ましい。
図１２は本発明のさらに他の実施例による導光板の背面を示す斜視図であり、図１３は図１２の導光板の背面を示す平面図である。図１２及び図１３に示すように、導光板１００は反射面１１４に形成された他の形状の第３プリズムパターン１３０を含む。第３プリズムパターン１３０は複数個の第３突出部１３４を含む。第３突出部１３４は入射面に水平な第１方向に沿って形成される複数の三角柱形状を含む。つまり、第３突出部１３４の三角柱の長さ方向が、第1方向に沿うように配置される。
【００３７】
複数の第３突出部１３４の複数の三角柱形状は、図１２及び図１３に示すように、入射面に垂直な第２方向の各列にグルーピングされる。グルーピングされた三角柱形状は入射面から遠くなるほど長さが大きくなる。例えば、導光板１００の第１及び第３側面１１５、１１７にランプ（図示せず）を配置する場合、グルーピングされた三角柱形状は第１及び第３側面１１５、１１７の中央部分に行くほど長さが大きくなる。
【００３８】
本発明のさらなる他の実施例による導光板１００は、入射面に隣接した領域より中央領域に第３突出部１３４の三角柱形状の長さを大きくする。入射面に隣接した領域の第３突出部１３４は小さいため、入射面に隣接した領域に形成された第３突出部１３４によって大部分の光が出射面側に出射されるのが抑制される。よって、中央領域が暗く見える現象を解消することができる。
【００３９】
図１４は本発明の一実施例によるバックライトアセンブリを示す分解斜視図である。図１４に示すように、バックライトアセンブリ２００はランプユニット２１０、導光板１００、反射シート２２０、光学シート２４０及び収納容器２３０を含む。
前記ランプユニット２１０は少なくとも一つのランプ２１２及びランプ反射板２１４を含む。ランプユニット２１０は要求される輝度によって導光板１００の一側面または互いに向き合う両側面に配置される。
【００４０】
ランプ２１２は光を発生する光源として棒形状の冷陰極管蛍光ランプ（ＣＣＦＬ：Cold  Cathode  Fluroescent  Lamp）であることが望ましい。ランプ反射板２１４はランプ２１２から発生された光を導光板１００に反射して光の利用効率を向上させる。従って、ランプ反射板２１４は反射率の高い材質から形成されるかランプ２１２をカバーするカバー面に反射部材がコーティングされることが望ましい。
【００４１】
前記導光板１００はランプユニット２１０から入射された光の経路を変更して一方向に出射する。導光板１００は前記で上述した導光板のうちいずれか一つの形状を有する導光板であることができる。
前記反射シート２２０は導光板１００下部に配置され下部に漏洩される光を導光板１００に反射させる。前記光学シート２２０は導光板１００の上部に配置され導光板１００から出射される光の特性を向上させる。
【００４２】
前記収納容器２３０はランプユニット２１０、光学シート２４０、導光板１００及び反射シート２２０を収納する。収納容器２３０は一つのモルードフレームから形成されることができる。収納容器２３０はバックライトアセンブリ２００の堅固性のためにボトムシャーシ（図示せず）をさらに含むことができる。
本発明の一実施例によるバックライトアセンブリ２００は光の出射分布を調節する第１及び第２突出部と光効率を向上させる第３突出部が形成された導光板１００を使用するので光学シート２４０の枚数を減少させることができる。従って、本発明の一実施例によるバックライトアセンブリ２００は従来の３枚以上の光学シート（拡散シート、プリズムシート、保護シートなど）を使用するバックライトアセンブリより製造原価が節減され、組立工程数が短縮されることができる。
【００４３】
表２は従来のバックライトアセンブリと本発明の一実施例によるバックライトアセンブリとの輝度特性を比較した表である。ここで、従来のバックライトアセンブリは第１乃至第３突出部が形成されない導光板と３枚の光学シートを使用し、本発明の一実施例によるバックライトアセンブリは第１乃至第３突出部が形成された導光板と１枚の光学シートを使用する。
<表２>
2008235271.tif 000004
表２を参照すると、従来のバックライトアセンブリと本発明の一実施例によるバックライトアセンブリに対して、２５ポイント（出射角が２５度の地点）及び中央ポイント（出射角が０度の地点）で輝度を測定した結果、本発明の一実施例によるバックライトアセンブリが従来バックライトアセンブリより向上された輝度特性を示すことがわかる。
【００４４】
より具体的に本発明の一実施例によるバックライトアセンブリは２５ポイント平均輝度において従来バックライトアセンブリより９．４３％向上された特性を有し、中央ポイント輝度において、従来バックライトアセンブリより３．３５％向上された特性を有する。
図１５は図１４に示されたバックライトアセンブリを含む液晶表示装置の分解斜視図である。図１５に示すように、液晶表示装置３００は画像を表示するための表示ユニット３１０、表示ユニット３１０に光を提供するバックライトアセンブリ２１０、及びトップシャーシ３２０を含む。バックライトアセンブリ２１０は図１４に説明したのと同一であるので詳細な説明は省略する。
【００４５】
前記表示ユニット３１０は画像を表示する液晶表示パネル３１２、液晶表示パネル３１２を駆動する駆動信号を提供するデータ及びゲート印刷回路基板３１４、３１５を含む。データ及びゲート印刷回路基板３１４、３１５はデータＴＣＰ３１６及びゲートＴＣＰ３１７を通じて液晶表示パネル３１２と電気的に連結される。
液晶表示パネル３１２は薄膜トランジスタ基板３１２ａ、薄膜トランジスタ基板３１２ａに対向して結合されるカラーフィルタ基板３１２ｂ及び薄膜トランジスタ基板３１２ａとカラーフィルタ基板３１２ｂとの間に介在される液晶（図示せず）を含む。薄膜トランジスタ基板３１２ａはスイッチング素子である薄膜トランジスタ（図示せず）がマトリクッス形態に形成された基板である。薄膜トランジスタのソース、ゲート端子にはそれぞれデータ及びゲートラインが連結され、ドレイン端子には透明な導電性材質からなる画素電極が連結される。
【００４６】
カラーフィルタ基板３１２ｂはＲＧＢ画素が薄膜工程によって形成された基板である。カラーフィルタ基板３１２ｂは透明な導電性材質から形成された共通電極を含む。
このような構成の表示ユニット３１０は光学シート２４０を固定するためのミドルモルード２５０の上部に実装され、トップシャーシ３２０と収納容器２３０との結合によって固定される。
【産業上の利用可能性】
【００４７】
本発明による導光板及びそれを用いたバックライトアセンブリは、不等辺梯形形状のプリズムパターンを用いて光の出射分布を調節することができる構成を有するので、視野角特性を改善することのできる効果がある。
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００４８】
【図１】本発明の一実施例による導光板を示す斜視図である。
【図２】図１に示された導光板の背面を示す斜視図である。
【図３】図１のＡ−Ａ‘線に沿って切断した断面図である。
【図４】図３に示された第２プリズムパターン領域で光の出射角に対する輝度の変化を示すグラフである。
【図５】図１のＡ−Ａ‘線に沿って切断した導光板の断面図である。
【図６】図１のＡ−Ａ‘線に沿って切断した導光板の断面図である。
【図７】図１のＡ−Ａ‘線に沿って切断した導光板の断面図である。
【図８】図１のＢ−Ｂ‘線に沿って切断した導光板の断面図である。
【図９】図８に示された第１角（または第２角）の変化に対する導光板から出射される光量の変化を示すグラフである。
【図１０】本発明の他の実施例による導光板の背面を示す斜視図である。
【図１１】図１０のＣ−Ｃ‘線に沿って切断した導光板の断面図である。
【図１２】本発明のさらなる実施例による導光板の背面を示す斜視図である。
【図１３】図１２の導光板の背面を示す平面図である。
【図１４】本発明の一実施例によるバックライトアセンブリを示す分解斜視図である。
【図１５】本発明の一実施例による液晶表示装置を示す分解斜視図である。
【符号の説明】
【００４９】
１００      導光板
１１０      本体
１１２      出射面
１１４      反射面
１１５、１１６、１１７、１１８      第１乃至第４側面
１２２      第１プリズムパターン
１２４      第２プリズムパターン
１３０      第３プリズムパターン
【図１】
2008235271.tif 000005
【図２】
2008235271.tif 000006
【図３】
2008235271.tif 000007
【図４】
2008235271.tif 000008
【図５】
2008235271.tif 000009
【図６】
2008235271.tif 000010
【図７】
2008235271.tif 000011
【図８】
2008235271.tif 000012
【図９】
2008235271.tif 000013
【図１０】
2008235271.tif 000014
【図１１】
2008235271.tif 000015
【図１２】
2008235271.tif 000016
【図１３】
2008235271.tif 000017
【図１４】
2008235271.tif 000018
【図１５】
2008235271.tif 000019